【手続補正書】
【提出日】平成19年6月29日(2007.6.29)
【手続補正１】
【補正対象書類名】特許請求の範囲
【補正対象項目名】全文
【補正方法】変更
【補正の内容】
【特許請求の範囲】
【請求項１】
物品を内部に受入れるクリーニングバスケット（１０）と、
溶剤を収容するタンク（１４、１６）と、
タンク（１４、１６）とクリーニングバスケット（１０）との間に連結され、溶剤をクリーニングバスケットに導入するためのポンプ（１２）と、
溶剤を蒸留する蒸留器またはＫｌｅｅｎ  Ｒｉｔｅ（商標）カートリッジのいずれかと、
クリーニングバスケット（１０）に連結され、加熱器（３４）を通過した空気を物品を乾燥させるようにクリーニングバスケット（１０）に循環させるファン（３２）と、
クリーニングバスケット（１０）に連結され、水と溶剤の凝縮された混合物を生成する凝縮器（３６）と、
凝縮器（３６）に連結され、凝縮された混合物の溶剤から凝縮された混合物の水を分離する分離器（２８）であって、
重力により分離され、間に境界（５４）が形成された、溶剤からなる上層と水からなる下層とを含むチャンバ（４８、６８）と、
凝縮器（３６、２６）から受入れた凝縮混合物を該チャンバに導入する入口（５０）と、
チャンバ（４８、６８）に連結され、上層の少なくとも一部が該チャンバから除去される出口（６０、６９）と、を備える分離器と、
を備え、
溶剤はシロキサン溶剤であり、
分離器（２８）は、凝縮された混合物のシロキサン溶剤から凝縮された混合物の水を分離し、該分離器は、上端部と下端部（５５）を有する入口チューブ（５２）をさらに備え、
前記上端部は前記入口（５０）に連結され、
前記入口チューブ（５２）は、前記下端部（５５）が前記混合物を前記境界（５４）の近傍位置で前記チャンバ（４８）に導入するような長さを有し、
前記下端部（５５）は、前記下端部（５５）が前記混合物を、乱れを最小にすべく水平方向経路に沿って前記チャンバ（４８）に導入するように形成されていることを特徴とする物品をドライクリーニングするためのシステム。
【請求項２】
蒸留器（２４）は、クリーニングバスケットに存するシロキサン溶剤を蒸留するためにクリーニングバスケットに連結されていることを特徴とする請求項１に記載のシステム。
【請求項３】
蒸留器（２４）は、水とシロキサン溶剤の凝縮された混合物を生成するために蒸留器（２４）から出る水蒸気および溶剤蒸気を凝縮する第２の凝縮器（２６）に連結され、該第２の凝縮器（２６）も分離器（２８）に連結されていることを特徴とする請求項１に記載のシステム。
【請求項４】
さらに、蒸留器内に真空を創るために、蒸留器に連結された真空発生器を備えることを特徴とする請求項２または３に記載のシステム。
【請求項５】
クリーニングバスケット（１０）から出た蒸気潜熱空気は、４８．９℃から５８．９℃に亘る温度であることを特徴とする請求項１ないし４のいずれかに記載のシステム。
【請求項６】
クリーニングバスケット（１０）に入る循環空気は、４８．９℃から８２．２℃に亘る温度であることを特徴とする請求項１ないし５のいずれかに記載のシステム。
【請求項７】
クリーニングバスケット（１０）に入るシロキサン溶剤が通過する、クリーニングバスケット（１０）に連結されたフィルタ（１８）をさらに備えることを特徴とする請求項１ないし６のいずれかに記載のシステム。
【請求項８】
フィルタ（１８）は、Ｋｌｅｅｎ  Ｒｉｔｅ（商標）カートリッジのフィルタであり、ここでシステムは蒸留器を備えないことを特徴とする請求項７に記載のシステム。
【請求項９】
凝縮された混合物が分離器（２８）に入る前に通過するように、分離器（２８）に連結された凝集媒体（５６）をさらに備えることを特徴とする請求項１ないし８のいずれかに記載のシステム。
【請求項１０】
分離器（２８）は、下層がチャンバ（４８、６８）から除去されるようにチャンバ（４８、６８）に連結された第２の出口（７４、７０）をさらに備えることを特徴とする請求項１ないし９のいずれかに記載のシステム。
【請求項１１】
分離器（２８）は、シロキサン溶剤および水を重力によりさらに分離するための第２のチャンバ（６８）をさらに備え、前記チャンバ（４８）の上層は水を含む水和シロキサンを含み、前記チャンバ（４８）の前記上層の水和シロキサンが前記第２のチャンバ（６８）内に導入されることを特徴とする請求項１ないし１０のいずれかに記載のシステム。
【請求項１２】
前記水和シロキサンは、乱れを最小にすべく水平方向経路に沿って前記第２のチャンバ（６８）に導入されることを特徴とする請求項１１に記載のシステム。
【請求項１３】
分離器（２８）は、第２の凝集媒体（６４）をさらに備え、水和シロキサンが前記第２のチャンバ（６８）に導入される前にこの第２の凝集媒体（６４）に受け入れられることを特徴とする請求項１１または１２に記載のシステム。
【請求項１４】
分離器（２８）は、前記チャンバ（４８）に導入される混合物の流れを制御する流れ制御器（６０）をさらに備えることを特徴とする請求項１ないし１３のいずれかに記載のシステム。
【請求項１５】
流れ制御器（６０）は、前記水和シロキサンを前記第２のチャンバ（６８）に圧送するポンプであることを特徴とする請求項１１または１４に記載のシステム。
【請求項１６】
分離器（２８）は、水が除去され得ないように第２のチャンバ（６８）に連結された第３の出口（６９）をさらに備えることを特徴とする請求項１１に記載のシステム。
【請求項１７】
分離器（２８）は、第２のチャンバ（６８）に連結された第４の出口（７０）をさらに備え、水は第４の出口を介して除去され、そして第４の出口からの流れが前記チャンバ（４８）の下層に受入れられることを特徴とする請求項１６に記載のシステム。
【請求項１８】
凝集媒体（５６、６４）は、開放セル形態のＰＦＰポリマー、ユリアホルムアルデヒド樹脂で用意された開放セル発泡体およびナイロンからなる群から選ばれた凝集媒体であることを特徴とする請求項９または１３に記載のシステム。
【請求項１９】
物品をドライクリーニングする方法であって、
物品をクリーニングバスケット（１０）に装填し、
物品をクリーニングバスケット（１０）内でシロキサン溶剤に浸漬し、
物品をシロキサン溶剤内で攪拌し、
物品を遠心分離することにより、シロキサン溶剤の少なくとも一部をクリーニングバスケット（１０）から取除き、
シロキサン溶剤を回収すべく、シロキサン溶剤を蒸留するか、またはシロキサン溶剤をＫｌｅｅｎ  Ｒｉｔｅ（商標）カートリッジに通過させ、
物品の周りで加熱空気を循環させて物品を乾燥させ、
シロキサンの蒸気と水蒸気を含む蒸気混合物をクリーニングバスケット（１０）から除去し、
凝縮された混合物を生成すべく蒸気混合物を凝縮し、
凝縮された混合物のシロキサン溶剤から凝縮された混合物の水を重力により分離し、
物品をクリーニングバスケットから取除き、
溶剤を再使用するステップを備え、
分離ステップは、
シロキサン溶剤を含む上層と水を含む下層とを含むチャンバ（４８、６８）を
備える分離器（２８）に凝縮混合物を導入するステップであって、該混合物が上層と下層との間の境界（５４）の近傍位置で、且つ該チャンバ内への導入中に凝縮混合物の乱れを最小にすべく水平方向の経路に沿って該チャンバ内へ導入される導入ステップと、
該混合物から水を下層に下降させ、上層が該混合物から分離されたシロキサン溶剤を含むようにするステップと、
チャンバ（４８）内で該混合物から分離されたシロキサン溶剤を除去するステップと、
を備えることを特徴とする方法。
【請求項２０】
蒸留中に発生したシロキサン蒸気を凝縮し、且つ凝縮混合物の水を凝縮混合物のシロキサン溶剤から重力により分離するステップをさらに備えることを特徴とする請求項１９に記載の方法。
【請求項２１】
クリーニングバスケット（１０）からの凝縮された蒸気潜熱空気は、４８．９℃から５８．９℃に亘る温度であることを特徴とする請求項１９に記載の方法。
【請求項２２】
循環空気は、４８．９℃から８２．２℃に亘る温度に維持されることを特徴とする請求項１９に記載の方法。
【請求項２３】
物品の攪拌中にシロキサン溶剤の温度を３２．２℃から５４．４℃に亘る温度に維持するステップをさらに備えることを特徴とする請求項１９に記載の方法。
【請求項２４】
シロキサン溶剤を蒸留するのに用いられる蒸留器からシロキサン溶剤を抽出すべく真空発生器を使用するステップをさらに備えることを特徴とする請求項１９に記載の方法。
【請求項２５】
物品を浸漬する前に、シロキサン溶剤を濾過するステップをさらに備えることを特徴とする請求項１９に記載の方法。
【請求項２６】
分離ステップの前に、シロキサン溶剤を濾過するステップをさらに備えることを特徴とする請求項１９に記載の方法。
【請求項２７】
凝縮蒸気混合物を凝集媒体（５６、５４）に通過させるステップをさらに備えることを特徴とする請求項１９に記載の方法。
【請求項２８】
前記混合物を前記チャンバに導入する前に前記混合物内の前記水を凝集するステップをさらに備えることを特徴とする請求項１９ないし２７のいずれかに記載の方法。
【請求項２９】
前記上層のシロキサン溶剤は水和され、前記水和されたシロキサンを、シロキサン溶剤と水を重力でさらに分離するために、前記上層から第２のチャンバ（６８）に導入するステップを、さらに備えることを特徴とする請求項１９ないし２８のいずれかに記載の方法。
【請求項３０】
前記水和されたシロキサンを前記第２のチャンバ（６８）に導入するステップは、前記水和されたシロキサンを、乱れを最小にすべく水平方向の経路に沿って前記第２のチャンバ（６８）に導入することを含むことを特徴とする請求項２９に記載の方法。
【請求項３１】
前記水和されたシロキサンを前記第２のチャンバに導入する前に前記水和されたシロキサン内の水を凝集するステップをさらに備えることを特徴とする請求項２９または３０に記載の方法。
【請求項３２】
前記水和されたシロキサンを導入するステップは、前記第１のチャンバ（４８）の前記上層の高さレベルが所定のレベルより上にあるときに前記水和されたシロキサンを前記第２のチャンバ（６８）に導入するステップを含むことを特徴とする請求項２９ないし３１のいずれかに記載の方法。
【請求項３３】
物品を受け入れるクリーニングバスケットと、
シロキサン溶剤を収容するタンクと、
前記タンクと前記クリーニングバスケットとの間に連結され、シロキサン溶剤を前記クリーニングバスケットに導入するためのポンプと、
前記クリーニングバスケットから出た水蒸気とシロキサン蒸気とを受け入れ、水とシロキサン溶剤の凝縮された混合物を生成する凝縮器と、
前記凝縮器に連結され、前記凝縮された混合物におけるシロキサン溶剤から水を重力によって分離する分離器と、
を備えたことを特徴とする物品をドライクリーニングするためのシステム。